(57)【特許請求の範囲】
【請求項１】
複数の点光源と、複数のマイクロレンズが配列されたマイクロレンズアレイと、複数の透光窓部を備えた光変調素子とを有し、前記マイクロレンズアレイにより前記複数の点光源からの光が前記透光窓部に集光するよう構成されている電気光学装置の製造方法であって、
前記複数の点光源、前記マイクロレンズアレイおよび前記複数の透光窓部を製造するに際し、前記複数の点光源と、前記マイクロレンズアレイと、前記複数の透光窓部との相対的な位置を調整する位置調整手段を設け、
前記位置調整手段は、調整用光源と、平面視で該調整用光源と略同一形状の調整用透光窓部と、前記マイクロレンズと略等しい焦点距離を有し、前記調整用光源からの光を前記調整用透光窓部と同じ平面上に結像させる調整用マイクロレンズとを備えた位置調整部を複数有し、前記複数の調整用光源、前記複数の調整用透光窓部および前記複数の調整用マイクロレンズは、それぞれ、有効光学変調領域の外側に設けられており、
前記位置調整手段により、前記複数の点光源と、前記マイクロレンズアレイと、前記複数の透光窓部との相対的な位置を調整し、
前記調整に際し、前記複数の位置調整部のうちの少なくとも２箇所で、前記複数の点光源と、前記マイクロレンズアレイと、前記複数の透光窓部との、前記複数のマイクロレンズが配列されている平面内における互いに直交するＸ軸およびＹ軸の方向の位置を調整することにより、前記Ｘ軸および前記Ｙ軸の方向の位置とともに、前記Ｘ軸および前記Ｙ軸のそれぞれに直交するＺ軸の回りの回転角も調整することを特徴とする電気光学装置の製造方法。
【請求項２】
平面視での有効光学変調領域の形状は、略四角形であり、前記位置調整部は、前記有効光学変調領域の所定の対角線上の２つの角部の近傍にそれぞれ設けられており、該２つの位置調整部において前記調整を行う請求項１に記載の電気光学装置の製造方法。
【請求項３】
前記複数の調整用光源は、前記複数の点光源と同じ平面上に位置し、前記複数の調整用マイクロレンズは、前記複数のマイクロレンズと同じ平面上に位置し、前記複数の調整用透光窓部は、前記複数の透光窓部と同じ平面上に位置する請求項１または２に記載の電気光学装置の製造方法。
【請求項４】
前記複数の調整用光源は、平面視において互いに垂直な方向に延在する第１の部分と、第２の部分とを有し、前記複数の調整用透光窓部は、平面視において互いに垂直な方向に延在する第１の部分と、第２の部分とを有する請求項１ないし３のいずれかに記載の電気光学装置の製造方法。
【請求項５】
平面視での前記複数の調整用光源および前記複数の調整用透光窓部の形状は、それぞれ、略十字状である請求項１ないし３のいずれかに記載の電気光学装置の製造方法。
【請求項６】
前記調整に際し、前記調整用光源の像と前記調整用透光窓部とが重なった部分のパターンが所定のパターンとなるように調整する請求項１ないし５のいずれかに記載の電気光学装置の製造方法。
【請求項７】
前記調整に際し、前記調整用光源の像と前記調整用透光窓部とが略一致するように調整する請求項１ないし５のいずれかに記載の電気光学装置の製造方法。
【請求項８】
前記調整に際し、前記調整用透光窓部から出射する光の光量が最大になるように調整する請求項１ないし７のいずれかに記載の電気光学装置の製造方法。
【請求項９】
前記調整に際し、前記複数の点光源と、前記マイクロレンズアレイとの相対的な位置を調整し、これらを固定し、この後、前記複数の点光源および前記マイクロレンズアレイと、前記複数の透光窓部との相対的な位置を調整し、これらを固定する請求項１ないし８のいずれかに記載の電気光学装置の製造方法。
【請求項１０】
前記位置調整に際し、前記複数の透光窓部と、前記マイクロレンズアレイとの相対的な位置を調整し、これらを固定し、この後、前記複数の透光窓部および前記マイクロレンズアレイと、前記複数の点光源との相対的な位置を調整し、これらを固定する請求項１ないし８のいずれかに記載の電気光学装置の製造方法。
【請求項１１】
前記電気光学装置は、前記点光源のピッチをＰｓ、前記透光窓部のピッチをＰａ、前記マイクロレンズアレイのマイクロレンズのピッチをＰＬ、前記点光源と前記マイクロレンズアレイとの間の光学的距離をＬｓ、前記マイクロレンズアレイと前記透光窓部との間の光学的距離をＬａとしたとき、下記式で示す条件を満たすよう構成されている請求項１ないし１０のいずれかに記載の電気光学装置の製造方法。
ＰＬ＝{Ｐｓ・Ｐａ／（Ｐｓ＋Ｐａ）}・ｎ（但し、ｎは自然数）
Ｌａ／Ｌｓ＝Ｐａ／Ｐｓ
【請求項１２】
請求項１ないし１１のいずれかに記載の電気光学装置の製造方法により製造されたことを特徴とする電気光学装置。
【請求項１３】
複数の点光源と、複数のマイクロレンズが配列されたマイクロレンズアレイと、複数の透光窓部を備えた光変調素子とを有し、前記マイクロレンズアレイにより、前記複数の点光源からの光が前記透光窓部に集光するよう構成されている電気光学装置であって、
前記複数の点光源と、前記マイクロレンズアレイと、前記複数の透光窓部との相対的な位置を調整する位置調整手段を有し、
前記位置調整手段は、調整用光源と、平面視で該調整用光源と略同一形状の調整用透光窓部と、前記マイクロレンズと略等しい焦点距離を有し、前記調整用光源からの光を前記調整用透光窓部と同じ平面上に結像させる調整用マイクロレンズとを備えた位置調整部を複数有し、前記複数の調整用光源、前記複数の調整用透光窓部および前記複数の調整用マイクロレンズは、それぞれ、有効光学変調領域の外側に設けられており、
前記複数の位置調整部のうちの少なくとも２箇所において、前記複数の点光源と、前記マイクロレンズアレイと、前記複数の透光窓部との、前記複数のマイクロレンズが配列されている平面内における互いに直交するＸ軸およびＹ軸の方向の位置を調整することにより、前記Ｘ軸および前記Ｙ軸のそれぞれに直交するＺ軸の回りの回転角も調整されるよう構成されていることを特徴とする電気光学装置。
【請求項１４】
ハウジングと、該ハウジング内に光を発し、前記複数の点光源と前記複数の調整用光源との共通の光源部とを有し、
前記ハウジング内の底面に、複数の突起が設けられ、前記ハウジングの上側の壁部に、複数の開口が設けられ、該複数の開口により、前記複数の点光源の各投光部および前記複数の調整用光源の各投光部が構成されており、前記光源部から発せられた光が、前記突起を含むハウジングの内面で１回または複数回反射して前記複数の開口から出射するよう構成されている請求項１３に記載の電気光学装置。
【請求項１５】
平面視での有効光学変調領域の形状は、略四角形であり、前記位置調整部は、前記有効光学変調領域の所定の対角線上の２つの角部の近傍にそれぞれ設けられており、該２つの位置調整部において前記調整を行うよう構成されている請求項１３または１４に記載の電気光学装置。
【請求項１６】
前記複数の調整用光源は、前記複数の点光源と同じ平面上に位置し、前記複数の調整用マイクロレンズは、前記複数のマイクロレンズと同じ平面上に位置し、前記複数の調整用透光窓部は、前記複数の透光窓部と同じ平面上に位置する請求項１３ないし１５のいずれかに記載の電気光学装置。
【請求項１７】
前記複数の調整用光源は、平面視において互いに垂直な方向に延在する第１の部分と、第２の部分とを有し、前記複数の調整用透光窓部は、平面視において互いに垂直な方向に延在する第１の部分と、第２の部分とを有する請求項１３ないし１６のいずれかに記載の電気光学装置。
【請求項１８】
平面視での前記複数の調整用光源および前記複数の調整用透光窓部の形状は、それぞれ、略十字状である請求項１３ないし１６のいずれかに記載の電気光学装置。
【請求項１９】
前記調整用光源の像と前記調整用透光窓部とが重なった部分のパターンが所定のパターンとなるように調整するよう構成されている請求項１３ないし１８のいずれかに記載の電気光学装置。
【請求項２０】
前記調整用光源の像と前記調整用透光窓部とが略一致するように調整するよう構成されている請求項１３ないし１８のいずれかに記載の電気光学装置。
【請求項２１】
前記調整用透光窓部から出射する光の光量が最大になるように調整するよう構成されている請求項１３ないし２０のいずれかに記載の電気光学装置。
【請求項２２】
前記点光源のピッチをＰｓ、前記透光窓部のピッチをＰａ、前記マイクロレンズアレイのマイクロレンズのピッチをＰＬ、前記点光源と前記マイクロレンズアレイとの間の光学的距離をＬｓ、前記マイクロレンズアレイと前記透光窓部との間の光学的距離をＬａとしたとき、下記式で示す条件を満たすよう構成されている請求項１３ないし２１のいずれかに記載の電気光学装置。
ＰＬ＝{Ｐｓ・Ｐａ／（Ｐｓ＋Ｐａ）}・ｎ（但し、ｎは自然数）
Ｌａ／Ｌｓ＝Ｐａ／Ｐｓ
【請求項２３】
前記点光源のピッチＰｓは、前記透光窓部のピッチＰａより大きい請求項２２に記載の電気光学装置。
【請求項２４】
前記点光源のピッチＰｓと、前記透光窓部のピッチＰａとが等しい請求項２２に記載の電気光学装置。
【請求項２５】
前記マイクロレンズアレイは、マイクロフレネルレンズアレイである請求項１３ないし２４のいずれかに記載の電気光学装置。
【請求項２６】
前記マイクロレンズアレイは、射出成形または２Ｐ法により成形されたものである請求項１３ないし２５のいずれかに記載の電気光学装置。
【請求項２７】
前記光変調素子は、透過型液晶パネルまたは半透過半反射型液晶パネルである請求項１３ないし２６のいずれかに記載の電気光学装置。
【発明の詳細な説明】
【０００１】
【発明の属する技術分野】
本発明は、電気光学装置の製造方法および電気光学装置に関するものである。
【０００２】
【従来の技術】
パーソナルコンピュ―タや携帯機器等の電子機器は、小型・薄型化が求められており、このような電子機器の表示装置（電気光学装置）の光源として、指向性の高い大がかりな光源を使用するのは非常に不利である（実際には使用しない）。
【０００３】
このため、例えば、液晶表示装置では、光源からの光を導光体によって液晶パネルの裏面に導き、反射板、散乱板、プリズムシート等を用いて液晶パネルを裏面から照明する方法を用いている。
【０００４】
しかしながら、従来の表示装置には、下記のような問題点がある。
例えば、透過型や半透過半反射型の液晶パネルと、バックライト（光源）とを有する表示装置の場合は、液晶パネルの駆動回路や反射板（反射電極）等で光の透過しない部分が形成される。光源から発せられ、前記光の透過しない部分で反射し、戻ってきた光は、何れかの部位で吸収されてしまい、使用することができない。このため、光源からの光の使用効率が低い。
【０００５】
また、プリズムシートを使用することにより、光の指向性を向上させることができるが、指向性を向上させたとしても高々±３０°程度の範囲である。このため、マイクロレンズアレイを用いても、光源からの光を液晶パネルの透光窓部に効率良く集光させることはできない。
【０００６】
特に、半透過半反射型の液晶パネルでは、反射板に設けられたピンホール状の開口（透光窓部）を透過する光で照明する場合があり、この場合には、入射した外光のうち、反射板で反射する光の比率（以下、単に「反射率」と言う）と、光源からの光のうち、開口を透過する光の比率（以下、単に「透過率」と言う）とは、それぞれ、反射板の面積とその開口の面積との比率で決まる。このため、透過率を大きくするために開口の面積を大きくすると、反射板の面積が小さくなり、反射率が小さくなってしまい、逆に、反射率を大きくするために開口の面積を小さくすると、透過率が小さくなってしまう（トレードオフの関係になってしまう）。
【０００７】
このように、従来の表示装置（電気光学装置）では、光源からの光を透光窓部に効率良く集光させることができず、光源から発せられる光の使用効率が低い。
【０００８】
【発明が解決しようとする課題】
本発明の目的は、光源から発せられる光の使用効率が高く、容易、迅速かつ確実に位置調整し得る電気光学装置の製造方法および電気光学装置を提供することにある。
【０００９】
【課題を解決するための手段】
このような目的は、下記（１）〜（２７）の本発明により達成される。
【００１０】
（１）  複数の点光源と、複数のマイクロレンズが配列されたマイクロレンズアレイと、複数の透光窓部を備えた光変調素子とを有し、前記マイクロレンズアレイにより前記複数の点光源からの光が前記透光窓部に集光するよう構成されている電気光学装置の製造方法であって、
前記複数の点光源、前記マイクロレンズアレイおよび前記複数の透光窓部を製造するに際し、前記複数の点光源と、前記マイクロレンズアレイと、前記複数の透光窓部との相対的な位置を調整する位置調整手段を設け、
前記位置調整手段は、調整用光源と、平面視で該調整用光源と略同一形状の調整用透光窓部と、前記マイクロレンズと略等しい焦点距離を有し、前記調整用光源からの光を前記調整用透光窓部と同じ平面上に結像させる調整用マイクロレンズとを備えた位置調整部を複数有し、前記複数の調整用光源、前記複数の調整用透光窓部および前記複数の調整用マイクロレンズは、それぞれ、有効光学変調領域の外側に設けられており、
前記位置調整手段により、前記複数の点光源と、前記マイクロレンズアレイと、前記複数の透光窓部との相対的な位置を調整し、
前記調整に際し、前記複数の位置調整部のうちの少なくとも２箇所で、前記複数の点光源と、前記マイクロレンズアレイと、前記複数の透光窓部との、前記複数のマイクロレンズが配列されている平面内における互いに直交するＸ軸およびＹ軸の方向の位置を調整することにより、前記Ｘ軸および前記Ｙ軸の方向の位置とともに、前記Ｘ軸および前記Ｙ軸のそれぞれに直交するＺ軸の回りの回転角も調整することを特徴とする電気光学装置の製造方法。
【００１１】
（２）  平面視での有効光学変調領域の形状は、略四角形であり、前記位置調整部は、前記有効光学変調領域の所定の対角線上の２つの角部の近傍にそれぞれ設けられており、該２つの位置調整部において前記調整を行う上記（１）に記載の電気光学装置の製造方法。
【００１２】
（３）  前記複数の調整用光源は、前記複数の点光源と同じ平面上に位置し、前記複数の調整用マイクロレンズは、前記複数のマイクロレンズと同じ平面上に位置し、前記複数の調整用透光窓部は、前記複数の透光窓部と同じ平面上に位置する上記（１）または（２）に記載の電気光学装置の製造方法。
【００１３】
（４）  前記複数の調整用光源は、平面視において互いに垂直な方向に延在する第１の部分と、第２の部分とを有し、前記複数の調整用透光窓部は、平面視において互いに垂直な方向に延在する第１の部分と、第２の部分とを有する上記（１）ないし（３）のいずれかに記載の電気光学装置の製造方法。
【００１４】
（５）  平面視での前記複数の調整用光源および前記複数の調整用透光窓部の形状は、それぞれ、略十字状である上記（１）ないし（３）のいずれかに記載の電気光学装置の製造方法。
【００１５】
（６）  前記調整に際し、前記調整用光源の像と前記調整用透光窓部とが重なった部分のパターンが所定のパターンとなるように調整する上記（１）ないし（５）のいずれかに記載の電気光学装置の製造方法。
【００１６】
（７）  前記調整に際し、前記調整用光源の像と前記調整用透光窓部とが略一致するように調整する上記（１）ないし（５）のいずれかに記載の電気光学装置の製造方法。
【００１７】
（８）  前記調整に際し、前記調整用透光窓部から出射する光の光量が最大になるように調整する上記（１）ないし（７）のいずれかに記載の電気光学装置の製造方法。
【００１８】
（９）  前記調整に際し、前記複数の点光源と、前記マイクロレンズアレイとの相対的な位置を調整し、これらを固定し、この後、前記複数の点光源および前記マイクロレンズアレイと、前記複数の透光窓部との相対的な位置を調整し、これらを固定する上記（１）ないし（８）のいずれかに記載の電気光学装置の製造方法。
【００１９】
（１０）  前記位置調整に際し、前記複数の透光窓部と、前記マイクロレンズアレイとの相対的な位置を調整し、これらを固定し、この後、前記複数の透光窓部および前記マイクロレンズアレイと、前記複数の点光源との相対的な位置を調整し、これらを固定する上記（１）ないし（８）のいずれかに記載の電気光学装置の製造方法。
【００２０】
（１１）  前記電気光学装置は、前記点光源のピッチをＰｓ、前記透光窓部のピッチをＰａ、前記マイクロレンズアレイのマイクロレンズのピッチをＰＬ、前記点光源と前記マイクロレンズアレイとの間の光学的距離をＬｓ、前記マイクロレンズアレイと前記透光窓部との間の光学的距離をＬａとしたとき、下記式で示す条件を満たすよう構成されている上記（１）ないし（１０）のいずれかに記載の電気光学装置の製造方法。
ＰＬ＝{Ｐｓ・Ｐａ／（Ｐｓ＋Ｐａ）}・ｎ（但し、ｎは自然数）
Ｌａ／Ｌｓ＝Ｐａ／Ｐｓ
【００２１】
（１２）  上記（１）ないし（１１）のいずれかに記載の電気光学装置の製造方法により製造されたことを特徴とする電気光学装置。
【００２２】
（１３）  複数の点光源と、複数のマイクロレンズが配列されたマイクロレンズアレイと、複数の透光窓部を備えた光変調素子とを有し、前記マイクロレンズアレイにより、前記複数の点光源からの光が前記透光窓部に集光するよう構成されている電気光学装置であって、
前記複数の点光源と、前記マイクロレンズアレイと、前記複数の透光窓部との相対的な位置を調整する位置調整手段を有し、
前記位置調整手段は、調整用光源と、平面視で該調整用光源と略同一形状の調整用透光窓部と、前記マイクロレンズと略等しい焦点距離を有し、前記調整用光源からの光を前記調整用透光窓部と同じ平面上に結像させる調整用マイクロレンズとを備えた位置調整部を複数有し、前記複数の調整用光源、前記複数の調整用透光窓部および前記複数の調整用マイクロレンズは、それぞれ、有効光学変調領域の外側に設けられており、
前記複数の位置調整部のうちの少なくとも２箇所において、前記複数の点光源と、前記マイクロレンズアレイと、前記複数の透光窓部との、前記複数のマイクロレンズが配列されている平面内における互いに直交するＸ軸およびＹ軸の方向の位置を調整することにより、前記Ｘ軸および前記Ｙ軸のそれぞれに直交するＺ軸の回りの回転角も調整されるよう構成されていることを特徴とする電気光学装置。
【００２３】
（１４）  ハウジングと、該ハウジング内に光を発し、前記複数の点光源と前記複数の調整用光源との共通の光源部とを有し、
前記ハウジング内の底面に、複数の突起が設けられ、前記ハウジングの上側の壁部に、複数の開口が設けられ、該複数の開口により、前記複数の点光源の各投光部および前記複数の調整用光源の各投光部が構成されており、前記光源部から発せられた光が、前記突起を含むハウジングの内面で１回または複数回反射して前記複数の開口から出射するよう構成されている上記（１３）に記載の電気光学装置。
【００２４】
（１５）  平面視での有効光学変調領域の形状は、略四角形であり、前記位置調整部は、前記有効光学変調領域の所定の対角線上の２つの角部の近傍にそれぞれ設けられており、該２つの位置調整部において前記調整を行うよう構成されている上記（１３）または（１４）に記載の電気光学装置。
【００２５】
（１６）  前記複数の調整用光源は、前記複数の点光源と同じ平面上に位置し、前記複数の調整用マイクロレンズは、前記複数のマイクロレンズと同じ平面上に位置し、前記複数の調整用透光窓部は、前記複数の透光窓部と同じ平面上に位置する上記（１３）ないし（１５）のいずれかに記載の電気光学装置。
【００２６】
（１７）  前記複数の調整用光源は、平面視において互いに垂直な方向に延在する第１の部分と、第２の部分とを有し、前記複数の調整用透光窓部は、平面視において互いに垂直な方向に延在する第１の部分と、第２の部分とを有する上記（１３）ないし（１６）のいずれかに記載の電気光学装置。
【００２７】
（１８）  平面視での前記複数の調整用光源および前記複数の調整用透光窓部の形状は、それぞれ、略十字状である上記（１３）ないし（１６）のいずれかに記載の電気光学装置。
【００２８】
（１９）  前記調整用光源の像と前記調整用透光窓部とが重なった部分のパターンが所定のパターンとなるように調整するよう構成されている上記（１３）ないし（１８）のいずれかに記載の電気光学装置。
【００２９】
（２０）  前記調整用光源の像と前記調整用透光窓部とが略一致するように調整するよう構成されている上記（１３）ないし（１８）のいずれかに記載の電気光学装置。
【００３０】
（２１）  前記調整用透光窓部から出射する光の光量が最大になるように調整するよう構成されている上記（１３）ないし（２０）のいずれかに記載の電気光学装置。
【００３１】
（２２）  前記点光源のピッチをＰｓ、前記透光窓部のピッチをＰａ、前記マイクロレンズアレイのマイクロレンズのピッチをＰＬ、前記点光源と前記マイクロレンズアレイとの間の光学的距離をＬｓ、前記マイクロレンズアレイと前記透光窓部との間の光学的距離をＬａとしたとき、下記式で示す条件を満たすよう構成されている上記（１３）ないし（２１）のいずれかに記載の電気光学装置。
ＰＬ＝{Ｐｓ・Ｐａ／（Ｐｓ＋Ｐａ）}・ｎ（但し、ｎは自然数）
Ｌａ／Ｌｓ＝Ｐａ／Ｐｓ
【００３２】
（２３）  前記点光源のピッチＰｓは、前記透光窓部のピッチＰａより大きい上記（２２）に記載の電気光学装置。
【００３３】
（２４）  前記点光源のピッチＰｓと、前記透光窓部のピッチＰａとが等しい上記（２２）に記載の電気光学装置。
【００３４】
（２５）  前記マイクロレンズアレイは、マイクロフレネルレンズアレイである上記（１３）ないし（２４）のいずれかに記載の電気光学装置。
【００３５】
（２６）  前記マイクロレンズアレイは、射出成形または２Ｐ法により成形されたものである上記（１３）ないし（２５）のいずれかに記載の電気光学装置。
【００３６】
（２７）  前記光変調素子は、透過型液晶パネルまたは半透過半反射型液晶パネルである上記（１３）ないし（２６）のいずれかに記載の電気光学装置。
【００４５】
【発明の実施の形態】
以下、本発明の電気光学装置の製造方法および電気光学装置を、添付図面に示す好適な実施の形態に基づき詳細に説明する。
【００４６】
図１は、本発明の電気光学装置の実施形態の構成を模式的に示す平面図、図２は、本発明の電気光学装置の実施形態の構成を模式的に示す縦断面図（図１中のＡ−Ａ線での断面図）である。
【００４７】
なお、図が煩雑になるのを避けるため、図２中、断面であることを示す斜線は、省略されている。また、図２では、図が煩雑になるのを避けるため、マイクロレンズ３２の中心を通過する光の主光軸のみを示す。
【００４８】
また、図１、図２および後に示す所定の図において、互いに直交するＸ軸、Ｙ軸およびＺ軸（Ｘ−Ｙ−Ｚ座標）を想定する。この場合、Ｘ−Ｙ平面は、複数のマイクロレンズ３２が配列されている平面と一致または平行になるように想定される。
【００４９】
図１および図２に示す表示装置（電気光学装置）１は、半透過半反射型表示装置であり、バックライトである光源手段（点光源アレイ）２と、マイクロレンズアレイ板３と、複数の透光窓部を備えた半透過半反射型の液晶パネル（光変調素子）４と、前記光源手段２と前記マイクロレンズアレイ板３と前記液晶パネル４との相対的な位置を調整する位置調整手段７とを有している。
【００５０】
光源手段２は、図２中下側に位置し、液晶パネル４は、図２中上側に位置し、マイクロレンズアレイ板３は、光源手段２と液晶パネル４との間に位置している。
【００５１】
光源手段２とマイクロレンズアレイ板３とは、接着剤層（接着剤）５で接着（接合）されている。
【００５２】
また、マイクロレンズアレイ板３と液晶パネル４とは、それらの外周部（表示の妨げにならない位置）において、図示しない接着剤で接着されている。
【００５３】
位置調整手段７は、２つの位置調整部７１および７２で構成されている。
各位置調整部７１および７２は、それぞれ、液晶パネル４（表示装置１）の有効光学変調領域１０の外側に設けられている。これにより、表示に悪影響を及ぼすのを防止することができる。
【００５４】
ここで、前記有効光学変調領域１０とは、液晶パネル４が光学変調（光変調）を有効に行うことができる領域であり、本実施形態では、画面として有効に機能し得る領域（有効表示領域）である。
【００５５】
また、本実施形態では、平面視において（図２中上側から見たとき）、有効光学変調領域１０の形状は、長方形（四角形）であり、位置調整部７１および７２は、それぞれ、有効光学変調領域１０の一方の対角線上の２つの角部１０１および１０２の近傍に設けられている。
【００５６】
これにより、位置調整部７１と位置調整部７２との間の距離を比較的長くすることができ、Ｚ軸の回り（θ方向）の回転角の調整を、より正確に行うことができる。
【００５７】
また、前記位置調整部７１および７２は、それぞれ、有効光学変調領域１０の他方の対角線上の２つの角部１０３および１０４の近傍に設けられていてもよく、この場合も前記と同様の効果が得られる。
【００５８】
なお、各位置調整部７１および７２が、それぞれ、前記と異なる位置に設けられていてもよいことは、言うまでもない。
【００５９】
これら位置調整部７１および７２は、それぞれ、主に、後述する調整用開口２６と、調整用開口（調整用透光窓部）４８と、前記調整用開口２６からの光を前記調整用開口４８と同じ平面上に結像させる調整用マイクロレンズ３３とで構成されている。
【００６０】
図２に示すように、光源手段２は、光源部２１と、ハウジング（鏡箱）２２とで構成されている。
【００６１】
ハウジング２２内の底面（図２中下側の面）には、複数の突起２３が形成されている。この突起２３の縦断面での形状は、略三角形をなしている。
【００６２】
また、ハウジング２２の図２中上側の壁部２２１には、複数の開口（ピンホール）２５が行列状に形成されている。
【００６３】
さらに、前記壁部２２１の有効光学変調領域１０の外側には、位置調整部７１の調整用開口２６と、図示しない位置調整部７２の調整用開口２６とがそれぞれ形成されている。従って、各調整用開口２６は、複数の開口２５と同じ平面上に位置する。なお、調整用開口２６は、前述したように、有効光学変調領域１０の対角線上の２つの角部１０１および１０２の近傍にそれぞれ設けられている。
【００６４】
また、ハウジング２２内の表面（内面）の前記複数の開口２５および２つの調整用開口２６を除いた領域と、突起２３の表面には、すべて反射膜２４が設けられている。この反射膜２４は、例えば、アルミニウム、アルミニウム合金等で構成されている。
【００６５】
光源部２１から発せられた光は、ほぼすべて、例えば、図３、図４および図５に示すように、反射膜２４で１回または複数回反射し、各開口２５や各調整用開口２６から出射する。
【００６６】
従って、この光源手段２では、開口２５により、点光源の投光部（光を発する部分）が構成され、また、調整用開口２６により、調整用光源の投光部（光を発する部分）が構成される。
【００６７】
マイクロレンズアレイ板３は、透明な基板３０と、その基板３０の図１中上側に設けられたマイクロレンズアレイ３１、位置調整部７１の調整用マイクロレンズ３３および図示しない位置調整部７２の調整用マイクロレンズ３３とで構成されている。マイクロレンズアレイ３１と各調整用マイクロレンズ３３とは、同じ平面上に位置する。
【００６８】
マイクロレンズアレイ３１は、正のパワーを有する複数のマイクロレンズ（集光レンズ）３２を有し、これらのマイクロレンズ３２は、マトリックス状、すなわち、行列状（図２中横方向と、図２の紙面に対して垂直な方向）に配置されている。
【００６９】
各調整用マイクロレンズ３３は、正のパワーを有しており、有効光学変調領域１０の外側に配置されている。なお、調整用マイクロレンズ３３は、前述したように、有効光学変調領域１０の対角線上の２つの角部１０１および１０２の近傍にそれぞれ設けられている。
【００７０】
調整用マイクロレンズ３３の焦点距離は、マイクロレンズ３２の焦点距離と一致しているのが好ましい。これにより、後述する式３で示す条件を満たすように構成すると、光源手段２の調整用開口２６の形状に対応する像（調整用開口２６の像）が調整用マイクロレンズ３３により液晶パネル４の調整用開口４８と同じ平面上に結像する。
【００７１】
前記マイクロレンズ３２としては、マイクロフレネルレンズ（回折レンズ）を用いるのが好ましい。すなわち、マイクロレンズアレイ３１としては、マイクロフレネルレンズアレイを用いるのが好ましい。
【００７２】
同様に、調整用マイクロレンズ３３としては、マイクロフレネルレンズ（回折レンズ）を用いるのが好ましい。
【００７３】
これにより、マイクロレンズアレイ３１（マイクロレンズ３２）、調整用マイクロレンズ３３の厚さを薄くすることができ、小型・薄型化に有利である。
【００７４】
マイクロレンズアレイ３１（マイクロレンズ３２）、調整用マイクロレンズ３３の構成材料の屈折率は、高いほど好ましい。なお、一般的な光学材料の屈折率は、１．４５〜１．６５程度である。
【００７５】
マイクロレンズアレイ３１、調整用マイクロレンズ３３および基板３０は、それぞれ、例えば、アクリル樹脂、エポキシ樹脂等の各種樹脂や、各種ガラスで構成されている。
【００７６】
なお、マイクロレンズアレイ３１の構成材料と、調整用マイクロレンズ３３の構成材料と、基板３０の構成材料とは、同一でもよく、また、異なっていてもよい。
【００７７】
また、マイクロレンズアレイ３１と、調整用マイクロレンズ３３と、基板３０とは、一体的に成形されてもよく、また、別々に成形されてもよい。
【００７８】
マイクロレンズアレイ板３の成形方法、すなわち、マイクロレンズアレイ３１、調整用マイクロレンズ３３および基板３０の成形方法は、特に限定されず、例えば、射出成形、２Ｐ法（フォトポリマゼーション）、ドライエッチング、ウエットエッチング等が挙げられるが、これらのうちでは、射出成形または２Ｐ法が好ましい。
【００７９】
マイクロレンズアレイ板３を射出成形または２Ｐ法により成形することにより、レンズの精度を高くすることができ、また、製造を容易に行うことができ、量産性に優れ、また、コストを低減することができる。
特に、射出成形の場合には、２Ｐ法よりもコストを低減することができる。
【００８０】
また、２Ｐ法の場合、特に、ガラス基板に２Ｐ法によりパターン形成する場合（ガラス２Ｐ法の場合）には、射出成形よりも使用温度が広範囲となり、好ましい。
【００８１】
液晶パネル４は、透明な基板４１と、基板４１の図２中下側の表面に形成され、図２中横方向に沿って並設された複数の帯状の透明電極４２と、基板４１の図２中下側に所定距離離間するように配置された透明な基板４６と、基板４６の図２中上側の表面に形成された反射膜４４および図２の紙面に対して垂直な方向に沿って並設された複数の帯状の透明電極４０と、基板４１（透明電極４２）と基板４６（透明電極４０）との間に設けられ、液晶を含有する液晶層４３とを有している。
【００８２】
透明電極４０は、反射膜４４の図２中上側に形成されている。この透明電極４０と透明電極４２とは、略直交しており、これらの各交差部（交差部の近傍の部分も含む）が、それぞれ、１画素に相当する。
【００８３】
透明電極４０と透明電極４２との間で充放電を行うことにより、液晶層４３の液晶が駆動される。
【００８４】
この透明電極４０および４２は、それぞれ、例えば、インジウムティンオキサイド（ＩＴＯ）等で構成されている。
【００８５】
反射膜４４には、複数の開口４５が行列状に形成されている。この開口４５は、透明電極４２と透明電極４０との交差部に位置し、１画素に対応している。
【００８６】
この開口４５により、液晶パネル４の透光窓部（光が透過し得る部分）が構成される。
【００８７】
また、反射膜４４の有効光学変調領域１０の外側には、位置調整部７１の調整用開口４８と、図示しない位置調整部７２の調整用開口４８とがそれぞれ形成されている。従って、各調整用開口４８は、複数の開口４４と同じ平面上に位置する。なお、調整用開口４８は、前述したように、有効光学変調領域１０の対角線上の２つの角部１０１および１０２の近傍にそれぞれ設けられている。
【００８８】
この調整用開口４８により、液晶パネル４の調整用透光窓部（光が透過し得る部分）が構成される。
【００８９】
反射膜４４は、例えば、アルミニウム、アルミニウム合金等で構成されている。
また、基板４１、４６は、例えば、各種ガラス等で構成されている。
【００９０】
基板４１の図２中上側には、偏光板４７１が接合され、また、基板４６の図２中下側には、偏光板４７２が接合されている。
【００９１】
また、前記液晶パネル４の図２中上側であって、位置調整部７１および位置調整部７２に対応する部分には、遮光膜４９が形成されている。この遮光膜４９により、位置調整部７１および７２の調整用開口２６から出射した光が遮光される。これにより、位置調整部７１および７２のパターンが見えてしまうのを防止することができる。
【００９２】
なお、一方の基板に１画素に対応してスイッチング素子を設けることができる。スイッチング素子は、図示しない制御回路に接続され、透明電極４０または４２へ供給する電流を制御する。これにより、透明電極４０または４２の充放電が制御される。
【００９３】
液晶層４３は液晶分子（図示せず）を含有しており、前記透明電極４０または４２の充放電に対応して、かかる液晶分子、すなわち液晶の配向が変化する。
【００９４】
これにより、各画素において、それぞれ、光の透過と遮断との切り替えと、輝度の調節とを任意に行うことができる。
【００９５】
なお、スイッチング素子としては、例えば、薄膜ダイオード（ＴＦＤ）、薄膜トランジスタ（ＴＦＴ）等を用いることができる。スイッチング素子として薄膜トランジスタを用いる場合、その薄膜トランジスタが設けられる基板における透明電極は、例えば、１画素に対応してドット状に設けられ、これに対向する基板における透明電極は、基板全面に設けられる。
【００９６】
次に、位置調整手段７について、さらに詳細に説明する。
前述したように、位置調整手段７は、有効光学変調領域１０の外側であって、その有効光学変調領域１０の角部１０１の近傍に位置する位置調整部７１と、角部１０２の近傍に位置する位置調整部７２とで構成されている。
【００９７】
各位置調整部７１および７２は、それぞれ、主に、調整用開口２６と、調整用開口４８と、調整用マイクロレンズ３３とで構成されている。
【００９８】
なお、位置調整部７１と位置調整部７２とは、同様の構成であるので、以下の説明では、代表的に位置調整部７１について説明する。
【００９９】
図６は、調整用開口２６の構成例を模式的に示す平面図、図７および図８は、調整用開口２６の像および調整用開口４８の構成例を模式的に示す平面図である。
【０１００】
図６に示すように、平面視での調整用開口２６の形状は、十字状である。すなわち、調整用開口２６は、平面視において互いに垂直な方向に延在する第１の部分２６１と、第２の部分２６２とを有している。
【０１０１】
この調整用開口２６から出射した光は、調整用マイクロレンズ３３により液晶パネル４の調整用開口４８と同じ平面上に結像する。
【０１０２】
図７に示すように、平面視での調整用開口２６の像２７の形状は、その調整用開口２６の形状と相似形状（十字状）となる。すなわち、調整用開口２６の像２７は、平面視において互いに垂直な方向に延在する第１の部分２７１と、第２の部分２７２とを有している。
【０１０３】
一方、平面視での調整用開口４８の形状も、十字状である。すなわち、調整用開口４８は、平面視において互いに垂直な方向に延在する第１の部分４８１と、第２の部分４８２とを有している。第１の部分４８１は、Ｘ軸と平行であり、第２の部分４８２は、Ｙ軸と平行である。
【０１０４】
これら調整用開口２６および調整用開口４８は、それぞれ、調整用開口２６の像２７と、調整用開口４８との形状および寸法が等しくなるように形成される。
【０１０５】
そして、位置調整部７１の調整用開口２６、調整用マイクロレンズ３３および調整用開口４８と、位置調整部７２の調整用開口２６、調整用マイクロレンズ３３および調整用開口４８とは、それぞれ、位置調整部７１の調整用開口２６の像２７と調整用開口４８とが一致し、かつ、位置調整部７２の調整用開口２６の像２７と調整用開口４８とが一致したときに、複数の開口２５と、マイクロレンズアレイ３１（複数のマイクロレンズ３２）と、複数の開口４５との相対的な位置が適正（最適）になるように配置される。
【０１０６】
平面視での調整用開口２６および調整用開口４８の形状をそれぞれ十字状にすることにより、後述するＸ軸方向のずれ量ΔＸと、Ｙ軸方向のずれ量ΔＹとをそれぞれ検出することができ、これにより、Ｘ軸方向の位置と、Ｙ軸方向の位置とをそれぞれ調整することができる。
【０１０７】
なお、平面視での調整用開口２６および４８の形状は、それぞれ、十字状に限らない。
【０１０８】
例えば、調整用開口２６は、第１の部分２６１と、第２の部分２６２とが、連続的に配置されていてもよく、また、断続的に配置されていてもよい。
【０１０９】
同様に、調整用開口４８は、第１の部分４８１と、第２の部分４８２とが、連続的に配置されていてもよく、また、断続的に配置されていてもよい。
【０１１０】
図７は、複数の開口２５と、マイクロレンズアレイ３１と、複数の開口４５とが相対的にずれているときの調整用開口２６の像２７および調整用開口４８を示し、図８は、複数の開口２５と、マイクロレンズアレイ３１と、複数の開口４５との相対的な位置が適正（最適）であるときの調整用開口２６の像２７および調整用開口４８を示す。
【０１１１】
複数の開口２５と、マイクロレンズアレイ３１と、複数の開口４５とが相対的にずれている（ずれが生じている）場合には、調整用開口２６の像２７と調整用開口４８とが一致しておらず、例えば、図７に示すように、調整用開口４８の２箇所、すなわち、第１の部分４８１および第２の部分４８２に、それぞれ、像２７で形成される明点（図７中の斜線の部位）７３および７４が生じる。
【０１１２】
この明点７３および７４の位置を検出することにより、Ｘ軸方向のずれ量ΔＸと、Ｙ軸方向のずれ量ΔＹとを求めることができる。なお、本実施形態では、Ｘ軸方向のずれ量ΔＸは、調整用開口４８の中心４８０と明点７３との間の距離であり、Ｙ軸方向のずれ量ΔＹは、調整用開口４８の中心４８０と明点７４との間の距離である。
【０１１３】
また、複数の開口２５と、マイクロレンズアレイ３１と、複数の開口４５との相対的な位置が適正（位置関係が適正）である場合には、図８に示すように、調整用開口２６の像２７と調整用開口４８とが一致して、像２７と調整用開口４８とが重なった部分（明点）のパターンが十字状となり、調整用開口４８から出射する光の光量が最大になる。
【０１１４】
前記位置調整手段７を用いて、複数の開口２５と、マイクロレンズアレイ３１と、複数の開口４５との相対的な位置を調整する方法としては、例えば、下記▲１▼〜▲４▼の方法が挙げられる。
【０１１５】
▲１▼  調整用開口２６の像２７と調整用開口４８とが重なった部分（明点）のパターン（形状や位置）が所定のパターン（本実施形態の場合は十字状）となるように調整する。
【０１１６】
▲２▼  調整用開口２６の像２７と調整用開口４８とが略一致するように調整する。
この場合、例えば、明点７３および７４がそれぞれ調整用開口４８の中心４８０に向かって移動するように位置調整する。
【０１１７】
▲３▼  調整用開口４８から出射する光の光量が最大になるように調整する。
▲４▼  前記▲１▼〜▲３▼のうちの任意の２つ、またはすべてを行う。
【０１１８】
前記調整用開口２６の像２７と調整用開口４８とが重なった部分のパターンの検出、明点７３および７４の位置の検出、調整用開口４８から出射する光の光量の検出には、例えば、ＣＣＤ、ラインセンサー、フォトダイオード等を用いることができる。
【０１１９】
ここで、本実施形態では、２箇所、すなわち、位置調整部７１と位置調整部７２とのそれぞれで、Ｘ軸方向およびＹ軸方向の位置調整を行う。これにより、Ｘ軸方向およびＹ軸方向の位置とともに、Ｚ軸の回り（θ方向）の回転角も調整される。
【０１２０】
また、この表示装置１では、図２に示すように、光源手段２の開口（点光源の投光部）２５のピッチをＰｓ、液晶パネル４の開口（透光窓部）４５のピッチをＰａ、マイクロレンズアレイ３１のマイクロレンズ３２のピッチをＰＬ、光源手段２の開口２５とマイクロレンズアレイ３１との間の光学的距離をＬｓ、マイクロレンズアレイ３１と液晶パネル４の開口４５との間の光学的距離をＬａとしたとき、下記式１および式２で示す条件を満たすように、光源手段２の開口２５と、マイクロレンズアレイ３１のマイクロレンズ３２と、液晶パネル４の開口４５とを配置する。
【０１２１】
ＰＬ＝{Ｐｓ・Ｐａ／（Ｐｓ＋Ｐａ）}・ｎ（但し、ｎは自然数）  ・・・式１
Ｌａ／Ｌｓ＝Ｐａ／Ｐｓ  ・・・式２
特に、式１において、ｎは、２を除く自然数であるのが好ましい。
【０１２２】
ここで、前記光学的距離は、環境を真空と仮定したときの距離、すなわち、実際の距離を、光路を構成する物質の屈折率で徐した値である。
【０１２３】
なお、前記式１および式２で示す条件は、図２中横方向と、図２の紙面に対して垂直な方向とのそれぞれにおいて満たされているものとする。
【０１２４】
また、マイクロレンズ３２の焦点距離をｆとしたとき、下記式３で示す条件を満たすように構成する。この式３は、光源手段２の開口２５の形状に対応する像（開口２５の像）がマイクロレンズ３２により液晶パネル４の開口４５の位置に結像するための条件式である。
【０１２５】
１／Ｌｓ＋１／Ｌａ＝１／ｆ  ・・・式３
【０１２６】
前記光源手段２の開口２５のピッチＰｓ、液晶パネル４の開口４５のピッチＰａ、マイクロレンズ３２のピッチＰＬ、光源手段２の開口２５とマイクロレンズアレイ３１との間の光学的距離Ｌｓ、マイクロレンズアレイ３１と液晶パネル４の開口４５との間の光学的距離Ｌａ、マイクロレンズ３２の焦点距離ｆは、例えば、用途等に応じて、前記式１、式２および式３で示す条件を満たすように適宜設定される。
【０１２７】
例えば、携帯用電子装置の半透過半反射型表示装置の場合には、例えば、下記のように設定するのが好ましい。
【０１２８】
光源手段２の開口（点光源の投光部）２５のピッチＰｓは、２０〜５００μｍ程度であるのが好ましい。
【０１２９】
また、液晶パネル４の開口（透光窓部）４５のピッチＰａは、２０〜５００μｍ程度であるのが好ましい。
【０１３０】
また、マイクロレンズ３２のピッチＰＬは、１０〜２５０μｍ程度であるのが好ましい。
【０１３１】
また、光源手段２の開口２５とマイクロレンズアレイ３１との間の光学的距離Ｌｓは、０．１〜２ｍｍ程度であるのが好ましい。
【０１３２】
また、マイクロレンズアレイ３１と液晶パネル４の開口４５との間の光学的距離Ｌａは、０．１〜２ｍｍ程度であるのが好ましい。
【０１３３】
また、マイクロレンズ３２の焦点距離ｆは、０．１〜１ｍｍ程度であるのが好ましい。
【０１３４】
なお、マイクロレンズ３２の平面視での形状（平面形状）および寸法等は、特に限定されず、例えば、液晶パネル４側の画素形状等に応じて適宜設定される。
【０１３５】
マイクロレンズ３２の平面視での形状としては、液晶パネル４の画素形状の相似形状が好ましく、例えば、長方形、正方形等の角形や、円形等が挙げられる。
【０１３６】
また、表示装置１では、光学的距離Ｌｓと光学的距離Ｌａとを等しくするか、または、光学的距離Ｌｓを光学的距離Ｌａよりも大きくするのが好ましい。すなわち、開口２５のピッチＰｓと開口４５のピッチＰａとを等しくするか、または、開口２５のピッチＰｓを開口４５のピッチＰａよりも大きくするのが好ましい。
【０１３７】
光学的距離Ｌｓと光学的距離Ｌａとを等しく設定する場合には、マイクロレンズ３２の焦点距離ｆを最も長く（開口数ＮＡを最も小さく）設定することができる。これにより、マイクロレンズアレイ３１の製造が容易となり、また、精度の向上、収差の減少を図ることができる。
【０１３８】
一方、光学的距離Ｌｓを光学的距離Ｌａよりも大きく設定する場合には、光源手段２の開口（点光源の投光部）２５のピッチＰｓを比較的大きく設定することができるので（開口２５の数を比較的少なくすることができるので）、製造が容易になる。
【０１３９】
前記光学的距離ＬｓおよびＬａは、それぞれ、例えば、マイクロレンズアレイ板３、基板４６等の厚みを所望の値に設定することで調節することができる。
【０１４０】
図２は、前記式１において、ｎ＝１の場合を示す。
ここで、マイクロレンズ３２は、光源手段２の開口２５から出射するあらゆる成分の光（あらゆる光軸の光）を液晶パネル４の開口４５に結像する光学的特性を有している。
【０１４１】
図２に示すように、光源手段２の所定の開口２５から出射した光は、ほぼすべて、何れかのマイクロレンズ３２の作用により、何れかの開口４５に集光する。
【０１４２】
例えば、有効光学変調領域１０において、図２中最も右側の開口２５から出射した光のうち、図２中最も右側のマイクロレンズ３２に入射した光６１は、そのマイクロレンズ３２により、図２中最も右側の開口４５に集光し、図２中右から２番目のマイクロレンズ３２に入射した光６２は、そのマイクロレンズ３２により、図２中右から２番目の開口４５に集光し、以下、同様に、その次の光は、対応するマイクロレンズ３２により、対応する開口４５に集光する。
【０１４３】
同様に、図２中右から２番目の開口２５から出射した光のうち、図２中右から２番目のマイクロレンズ３２に入射した光６３は、そのマイクロレンズ３２により、図２中最も右側の開口４５に集光し、図２中右から３番目のマイクロレンズ３２に入射した光６４は、そのマイクロレンズ３２により、図２中右から２番目の開口４５に集光し、以下、同様に、各光は、それぞれ、対応するマイクロレンズ３２により、対応する開口４５に集光する。
【０１４４】
以下、同様に、図２中右から３番目以降の開口２５から出射した光についても、それぞれ、対応するマイクロレンズ３２により、対応する開口４５に集光する。
【０１４５】
すなわち、所定の開口４５に着目すると、複数の開口２５から出射した光は、マイクロレンズアレイ３１により、その開口４５に集光する。
【０１４６】
また、所定のマイクロレンズ３２に着目すると、そのマイクロレンズ３２は、複数の開口２５から出射した光を複数の開口４５に集光させる。
【０１４７】
このように、この表示装置１では、光源手段２（各開口２５）から発せられる光を効率良く開口４５に集光させることができ、これにより、光源手段２から発せられる光の使用効率を向上させることができる。
【０１４８】
また、この表示装置１では、１つの開口４５には、複数（多く）の開口２５からの光が集光するので、明るさが平均化される利点がある。すなわち、各開口２５からの光の光量、各開口２５の位置等にばらつきがあったとしても、開口４５に集まる光は、複数の開口２５からの光の平均値となるので、画素間の光量差は、ほとんどなくなる。これにより、より均一性の高い表示を行うことができる。
【０１４９】
また、ｎ＝１とすることにより、ｎ＞１の場合に比べ、マイクロレンズ３２のピッチＰＬを小さく設定することができ、これにより、マイクロレンズ３２の焦点距離ｆを長く、すなわち、マイクロレンズ３２の開口数ＮＡを小さく設定することができる。これにより、マイクロレンズアレイ３１の製造が容易となり、また、精度の向上、収差の減少を図ることができる。
【０１５０】
また、この表示装置１では、平面視において（図２中上側から見たとき）、光源手段２の開口（点光源の投光部）２５の形状と、液晶パネル４の開口（透光窓部）４５の形状とが、相似形状となっているのが好ましい。
【０１５１】
そして、開口２５の面積（大きさ）Ｓ２５と開口４５の面積（大きさ）Ｓ４５との比（Ｓ２５／Ｓ４５）が、開口２５のピッチＰｓと開口４５のピッチＰａとの比（Ｐｓ／Ｐａ）と等しく、すなわち、光学的距離Ｌｓと光学的距離Ｌａとの比（Ｌｓ／Ｌａ）と等しく設定されているのが好ましい。
【０１５２】
これにより、光源手段２（各開口２５）から発せられる光をより効率良く開口４５に集光させることができ、光源手段２から発せられる光の使用効率をさらに向上させることができる。
【０１５３】
開口２５の面積Ｓ２５は、例えば、半透過半反射型表示装置の場合には、１画素の面積の３〜５０％程度であるのが好ましい。
【０１５４】
次に、表示装置（電気光学装置）１の製造方法を説明する。
前述した表示装置１は、例えば以下のようにして製造することができる。
【０１５５】
＜１＞表示装置１を製造する際には、まず、前述した光源手段（点光源アレイ）２と、マイクロレンズアレイ板３と、液晶パネル（光変調素子）４とをそれぞれ製造する。
【０１５６】
光源手段２は、例えば、従来公知の方法で製造することができ、この光源手段２の製造の際、調整用開口２６を形成する。
【０１５７】
調整用開口２６および開口２５は、それぞれ、例えば、フォトエッチング等により形成することができる。
【０１５８】
また、マイクロレンズアレイ板３は、例えば、射出成形、２Ｐ法（フォトポリマゼーション）、ドライエッチング、ウエットエッチング等の方法を用いて製造することができ、このマイクロレンズアレイ板３の製造の際、前記と同様の方法で調整用マイクロレンズ３３を形成する。
【０１５９】
また、液晶パネル４は、例えば、従来公知の方法で各構成要素を順次形成して製造し、この液晶パネル４の製造の際、調整用開口４８を形成する。
【０１６０】
調整用開口４８および開口４５は、それぞれ、例えば、フォトエッチング等により形成することができる。
【０１６１】
このようにして、光源手段２、マイクロレンズアレイ板３および液晶パネル４を製造し、その際、位置調整部７１および７２を設ける。
【０１６２】
＜２＞次に、前記位置調整部７１および７２を用いて、光源手段２と、マイクロレンズアレイ板３と、液晶パネルとの相対的な位置を調整する（位置決めを行う）。
【０１６３】
この場合、まず、光源手段２と、マイクロレンズアレイ板３と、液晶パネル４とのうちの任意の２つの相対的な位置を調整し、これらを固定し、この後、それと、残りの１つとの相対的な位置を調整し、これらを固定する。
【０１６４】
この場合、初めに位置調整されるのは、光源手段２とマイクロレンズアレイ板３とであるか、または、マイクロレンズアレイ板３と液晶パネル４とであるのが好ましい。
【０１６５】
また、位置調整には、粗調整用の位置調整装置と、微調整用の位置調整装置とを使用する。
【０１６６】
各位置調整装置は、それぞれ、３軸テーブルと、固定テーブルと、２つのＣＣＤと、メモリーを備えた制御手段とを有している。３軸テーブルは、固定テーブルに対し、Ｘ軸用モータの駆動によりＸ軸方向に移動し、Ｙ軸用モータの駆動によりＹ軸方向に移動し、θ用モータの駆動によりθ方向（Ｚ軸の回り）に両方向に回転し得るように構成されている。
【０１６７】
以下、図９および図１０に示す模式図と、図１１および図１２に示すフローチャートとに基づいて、代表的に、光源手段２と、マイクロレンズアレイ板３との相対的な位置を調整し、これらを固定し、この後、光源手段２およびマイクロレンズアレイ板３と、液晶パネル４との相対的な位置を調整し、これらを固定する場合を説明する。
【０１６８】
＜３＞まず、粗調整用の位置調整装置を用いて、光源手段２と、マイクロレンズアレイ板３との位置調整（位置決め）を行う（図１１に示す工程１）。この位置調整は、粗く行ってもよい。
【０１６９】
図９および図１１に示すように、粗調整用の位置調整装置の治具（３軸テーブル、固定テーブル）に、光源手段２と、マイクロレンズアレイ板３とをセットする（ステップＳ１０１）。
【０１７０】
これにより、３軸テーブルの駆動によって、光源手段２とマイクロレンズアレイ板３とは、相対的に、Ｘ軸方向およびＹ軸方向に移動し得るとともに、θ方向（Ｚ軸の回り）に両方向に回転し得る。
【０１７１】
次いで、平面視における位置調整部７１の調整用開口２６の位置とその調整用開口２６の像２７の位置との差（ΔＸ１１、ΔＹ１１）、位置調整部７２の調整用開口２６の位置とその調整用開口２６の像２７の位置との差（ΔＸ１２、ΔＹ１２）を検出する（ステップＳ１０２）。
【０１７２】
このステップＳ１０２では、光源手段２の光源部２１を点灯させ、２つのＣＣＤ８１のうちの一方により、位置調整部７１の調整用開口２６およびその近傍を撮像し、その情報に基づいて、前記調整用開口２６のＸ軸方向およびＹ軸方向の位置（Ｘ、Ｙ）を検出するとともに、位置調整部７１の調整用開口４８およびその近傍を撮像し、その情報に基づいて、前記調整用開口４８のＸ軸方向およびＹ軸方向の位置（Ｘ、Ｙ）を検出し、これらから、前記調整用開口２６のＸ軸方向およびＹ軸方向の位置と、その像２７のＸ軸方向およびＹ軸方向の位置との差（ΔＸ１１、ΔＹ１１）を求める。
【０１７３】
同様に、２つのＣＣＤ８１のうちの他方により、位置調整部７２の調整用開口２６およびその近傍を撮像し、その情報に基づいて、前記調整用開口２６のＸ軸方向およびＹ軸方向の位置（Ｘ、Ｙ）を検出するとともに、位置調整部７２の調整用開口４８およびその近傍を撮像し、その情報に基づいて、前記調整用開口４８のＸ軸方向およびＹ軸方向の位置（Ｘ、Ｙ）を検出し、これらから、前記調整用開口２６のＸ軸方向およびＹ軸方向の位置と、その像２７のＸ軸方向およびＹ軸方向の位置との差（ΔＸ１２、ΔＹ１２）を求める。
【０１７４】
次いで、前記ステップＳ１０２で求めた差（ΔＸ１１、ΔＹ１１）、差（ΔＸ１２、ΔＹ１２）が許容値以下であるか否かが判断され（ステップＳ１０３）、差（ΔＸ１１、ΔＹ１１）、差（ΔＸ１２、ΔＹ１２）が許容値より大きい場合には、差（ΔＸ１１、ΔＹ１１）、差（ΔＸ１２、ΔＹ１２）に基づいて、これらの差（ΔＸ１１、ΔＹ１１）および（ΔＸ１２、ΔＹ１２）が０になるか、または０に接近するためのＸ軸用モータ、Ｙ軸用モータおよびθ用モータの駆動量を計算する（ステップＳ１０４）。なお、前記差（ΔＸ１１、ΔＹ１１）および（ΔＸ１２、ΔＹ１２）と、Ｘ軸用モータ、Ｙ軸用モータおよびθ用モータの駆動量との関係は、予め、演算式またはテーブルとして、制御手段に内蔵されたメモリーに記憶されており、前記ステップＳ１０４では、その演算式またはテーブルを用いてＸ軸用モータ、Ｙ軸用モータおよびθ用モータの駆動量を求める。
【０１７５】
次いで、Ｘ軸用モータ、Ｙ軸用モータおよびθ用モータをそれぞれステップＳ１０４で求めた駆動量分だけ駆動する（ステップＳ１０５）。これにより、３軸テーブルが、固定テーブルに対し、Ｘ軸方向、Ｙ軸方向およびθ方向のうちの所定の方向に所定量移動または所定角度回転する。すなわち、光源手段２とマイクロレンズアレイ板３とが、相対的に、Ｘ軸方向、Ｙ軸方向およびθ方向のうちの所定の方向に所定量移動または所定角度回転し、これにより、前記差（ΔＸ１１、ΔＹ１１）および（ΔＸ１２、ΔＹ１２）が０になるか、または０に接近する。
【０１７６】
前記ステップＳ１０５の後、前記ステップＳ１０２に戻り、再度、ステップＳ１０２以降を実行する。
【０１７７】
前記ステップＳ１０２において、差（ΔＸ１１、ΔＹ１１）、差（ΔＸ１２、ΔＹ１２）が許容値以下であると判断された場合には、ステップＳ１０６へ進む。
【０１７８】
そして、光源手段２と、マイクロレンズアレイ板３とを接着剤で接着（固定）する（ステップＳ１０６）。これにより、図１０に示す光源・ＭＬＡユニット（接合体）９１が得られる。
【０１７９】
次いで、前記光源・ＭＬＡユニット９１を粗調整用の位置調整装置から取り外す（ステップＳ１０７）。
以上で、工程１を終了し、工程２へ移行する。
【０１８０】
＜４＞次に、微調整用の位置調整装置を用いて、光源・ＭＬＡユニット９１と、液晶パネル４との位置調整（位置決め）を行う（図１２に示す工程２）。この位置調整は、密に行う。
【０１８１】
図１０および図１２に示すように、微調整用の位置調整装置の治具（３軸テーブル、固定テーブル）に、光源・ＭＬＡユニット９１と、液晶パネル４とをセットする（ステップＳ２０１）。
【０１８２】
これにより、３軸テーブルの駆動によって、光源・ＭＬＡユニット９１と液晶パネル４とは、相対的に、Ｘ軸方向およびＹ軸方向に移動し得るとともに、θ方向（Ｚ軸の回り）に両方向に回転し得る。
【０１８３】
なお、位置調整部７１の調整用開口４８の中心４８０のＸ軸方向およびＹ軸方向の位置と、位置調整部７２の調整用開口４８の中心４８０のＸ軸方向およびＹ軸方向の位置とは、それぞれ、既知である。
【０１８４】
次いで、位置調整部７１の調整用開口２６の像２７とその調整用開口４８とのＸ軸方向およびＹ軸方向のずれ量（ΔＸ２１、ΔＹ２１）、位置調整部７２の調整用開口２６の像２７とその調整用開口４８とのＸ軸方向およびＹ軸方向のずれ量（ΔＸ２２、ΔＹ２２）を検出する（ステップＳ２０２）。
【０１８５】
このステップＳ２０２では、光源手段２の光源部２１を点灯させ、２つのＣＣＤ８１のうちの一方により、位置調整部７１の調整用開口４８およびその近傍を撮像し、その情報に基づいて、明点７３および７４（図７参照）のＸ軸方向およびＹ軸方向の位置（Ｘ、Ｙ）を検出し、これと、既知である位置調整部７１の調整用開口４８の中心４８０のＸ軸方向およびＹ軸方向の位置とから、像２７と調整用開口４８とのＸ軸方向およびＹ軸方向のずれ量（ΔＸ２１、ΔＹ２１）を求める。
【０１８６】
同様に、２つのＣＣＤ８１のうちの他方により、位置調整部７２の調整用開口４８およびその近傍を撮像し、その情報に基づいて、明点７３および７４（図７参照）のＸ軸方向およびＹ軸方向の位置（Ｘ、Ｙ）を検出し、これと、既知である位置調整部７２の調整用開口４８の中心４８０のＸ軸方向およびＹ軸方向の位置とから、像２７と調整用開口４８とのＸ軸方向およびＹ軸方向のずれ量（ΔＸ２２、ΔＹ２２）を求める。
【０１８７】
次いで、前記ステップＳ２０２で求めたずれ量（ΔＸ２１、ΔＹ２１）、ずれ量（ΔＸ２２、ΔＹ２２）が許容値以下であるか否かが判断され（ステップＳ２０３）、ずれ量（ΔＸ２１、ΔＹ２１）、ずれ量（ΔＸ２２、ΔＹ２２）が許容値より大きい場合には、ずれ量（ΔＸ２１、ΔＹ２１）、ずれ量（ΔＸ２２、ΔＹ２２）に基づいて、これらのずれ量（ΔＸ２１、ΔＹ２１）および（ΔＸ２２、ΔＹ２２）が０になるか、または０に接近するためのＸ軸用モータ、Ｙ軸用モータおよびθ用モータの駆動量を計算する（ステップＳ２０４）。なお、前記ずれ量（ΔＸ２１、ΔＹ２１）および（ΔＸ２２、ΔＹ２２）と、Ｘ軸用モータ、Ｙ軸用モータおよびθ用モータの駆動量との関係は、予め、演算式またはテーブルとして、制御手段に内蔵されたメモリーに記憶されており、前記ステップＳ２０４では、その演算式またはテーブルを用いてＸ軸用モータ、Ｙ軸用モータおよびθ用モータの駆動量を求める。
【０１８８】
次いで、Ｘ軸用モータ、Ｙ軸用モータおよびθ用モータをそれぞれステップＳ２０４で求めた駆動量分だけ駆動する（ステップＳ２０５）。これにより、３軸テーブルが、固定テーブルに対し、Ｘ軸方向、Ｙ軸方向およびθ方向のうちの所定の方向に所定量移動または所定角度回転する。すなわち、光源・ＭＬＡユニット９１と液晶パネル４とが、相対的に、Ｘ軸方向、Ｙ軸方向およびθ方向のうちの所定の方向に所定量移動または所定角度回転し、これにより、前記ずれ量（ΔＸ２１、ΔＹ２１）および（ΔＸ２２、ΔＹ２２）が０になるか、または０に接近する。
【０１８９】
前記ステップＳ２０５の後、前記ステップＳ２０２に戻り、再度、ステップＳ２０２以降を実行する。
【０１９０】
前記ステップＳ２０２において、ずれ量（ΔＸ２１、ΔＹ２１）、ずれ量（ΔＸ２２、ΔＹ２２）が許容値以下であると判断された場合には、ステップＳ２０６へ進む。
【０１９１】
そして、光源・ＭＬＡユニット９１と、液晶パネル４とを接着剤で接着（固定）する（ステップＳ２０６）。これにより、表示装置１が得られる。
【０１９２】
次いで、前記表示装置１を微調整用の位置調整装置から取り外す（ステップＳ２０７）。
以上で、工程２を終了する。
【０１９３】
前記位置調整が終了した後、液晶パネル４の上側であって、位置調整部７１および位置調整部７２に対応する部分に、遮光膜４９を形成する。
【０１９４】
このようにして、複数の開口２５と、マイクロレンズアレイ３１と、複数の開口４５との相対的な位置が適正（最適）になるよう位置調整された表示装置１を得ることができる。
【０１９５】
次に、表示装置１の作用を説明する。
図２に示すように、表示装置１の光源部２１から発せられた光は、各開口２５から出射し、接着剤層５および基板３０を透過した後、マイクロレンズアレイ３１の各マイクロレンズ３２に入射し、前述したように、マイクロレンズ３２の作用により、開口４５に集光するようにマイクロレンズ３２から出射する。
【０１９６】
マイクロレンズ３２から出射した光は、偏光板４７２で偏光され、基板４６を透過した後、開口４５に集光し、その開口４５を透過（通過）する。
なお、本発明では、表示装置１に、図示しない位相差板を設けてもよい。
【０１９７】
開口４５を透過した光は、透明電極４２と透明電極４０との間に印加されている電圧により配向が制御された液晶層４３の液晶により強度変調される。そしてその光は、基板４１を透過し、偏光板４７１で偏光され、外部に出射する。
【０１９８】
このようにして、表示装置１の画面に、所定の画像（電子画像）が表示される。
【０１９９】
また、この表示装置１の液晶パネル４は、半透過半反射型であるので、外部が比較的明るい場合には、外部からの光を反射膜４４で反射させて表示を行うことができる。
【０２００】
また、外部が比較的暗い場合には、前述したように、光源手段２を駆動させ、その光源手段２からの光を反射膜４４の開口４５を透過させて表示を行うことができる。
【０２０１】
以上述べたように、この表示装置１およびその製造方法によれば、複数の開口２５と、マイクロレンズアレイ３１と、複数の開口４５との相対的な位置を容易、迅速かつ確実に調整（位置合わせ）することができる。
【０２０２】
そして、前記位置調整がなされているので、開口４５間（画素間）の明るさのばらつきを低減、または無くすことができ、これにより、表示ムラを低減、または無くすことができる。すなわち、均質な表示を行うことができる。
【０２０３】
また、この表示装置１によれば、光源手段２（各開口２５）から発せられる光を効率良く開口４５に集光させることができ、これにより、光源手段２から発せられる光の使用効率を向上させることができる。
【０２０４】
すなわち、反射膜４４の面積を大きくし、その反射膜４４に設けられた開口４５の面積を小さくしても、光源手段２からの光を効率良く開口４５に集光させることができるので、開口４５を透過する光の光量を大きくすることができ、これにより、外光の反射率、光源手段２からの光の透過率がともに高い半透過半反射型の液晶表示装置（直視型液晶表示装置）を実現することができる。
【０２０５】
また、この表示装置１では、高価なプリズムシートを用いる必要がないので、部品点数を削減することができ、また、コストを低減することができる。
【０２０６】
なお、本発明では、点光源は、前述した構成に限らず、例えば、発光ダイオード（ＬＥＤ）、レーザダイオード、有機ＥＬ（Electro Luminescence）素子、無機ＥＬ素子等であってもよい。
【０２０７】
同様に、本発明では、調整用光源は、前述した構成に限らず、例えば、発光ダイオード、レーザダイオード、有機ＥＬ素子、無機ＥＬ素子等であってもよい。
【０２０８】
点光源としてレーザダイオードを用い、光変調素子として液晶パネルを用いる場合には、偏光板を省略することができる。これにより、点光源からの光の使用効率をさらに向上させることができ、また、部品点数を削減することができる。
【０２０９】
以上、本発明の電気光学装置を、図示の実施形態に基づいて説明したが、本発明はこれに限定されるものではなく、各部の構成は、同様の機能を有する任意の構成のものに置換することができる。
【０２１０】
例えば、前記実施形態では、位置調整手段は、電気光学装置の製造の際に利用されるように構成されているが、本発明では、これに限らず、位置調整手段が、例えば、電気光学装置が製造された後に利用されるように構成されていてもよく、また、電気光学装置が製造される際および製造された後の両方で利用されるように構成されていてもよい。
【０２１１】
前記位置調整手段を電気光学装置が製造された後に利用する場合には、例えば、電気光学装置に位置調整用の所定の操作手段（例えば、操作ボタンやダイヤル等）を設け、その操作手段を操作することにより、手動または自動的に位置調整がなされるように構成することができる。
【０２１２】
また、前記実施形態では、位置調整部が２つ設けられているが、本発明では、位置調整部の数は、これに限定されず、例えば、１つでもよく、また、３つ以上でもよい。
【０２１３】
但し、位置調整部は、複数設けられるのが好ましい。位置調整部を複数設けることにより、位置調整部が１つの場合に比べ、容易、迅速、確実かつ正確に位置調整することができる。
【０２１４】
また、前記実施形態では、光変調素子として、半透過半反射型の液晶パネルを用いているが、本発明では、光変調素子は、液晶パネルには限定されない。
【０２１５】
また、本発明の電気光学装置は、透過型の液晶パネル等の透過型の光変調素子を有する透過型表示装置であってもよい。
【０２１６】
また、本発明の電気光学装置は、複数色を表示し得る電気光学装置、例えば、フルカラーの電気光学装置であってもよく、また、モノクロの電気光学装置であってもよい。
【０２１７】
本発明は、例えば、ラップトップ型パーソナルコンピュータ、ノート型パーソナルコンピュータ等のパーソナルコンピュータのモニタ（ディスプレイ）、テレビジョンのモニタ、テレビ電話のモニタ、携帯電話（ＰＨＳを含む）、電子手帳、電子辞書、電子カメラ（デジタルカメラ）、ビデオカメラ等の携帯用電子装置のモニタ等の各種電子装置の直視型表示装置や、プロジェクター等の投射型表示装置等に適用することができる。
【０２１８】
【発明の効果】
以上述べたように、本発明によれば、複数の点光源と、マイクロレンズアレイと、複数の透光窓部との相対的な位置を容易、迅速かつ確実に調整することができる。
【０２１９】
そして、前記位置調整がなされているので、画素（透光窓部）間の光量差を小さく、または無くすことができ、これにより、均質な表示を行うことができる。
【０２２０】
また、光源から発せられる光を効率良く透光窓部に集光させることができ、これにより、光源から発せられる光の使用効率を向上させることができる。
【０２２１】
特に、光源からの光の使用効率が極めて高い、バックライト方式の表示装置（直視型表示装置）を実現することができる。
【０２２２】
また、光変調素子を半透過半反射型液晶パネルで構成した場合には、反射膜（反射板）の面積を大きくし、その反射膜に設けられた開口（透光窓部）の面積を小さくしても、光源からの光を効率良く前記開口に集光させることができるので、前記開口を透過する光の光量を大きくすることができ、これにより、外光の反射率、光源からの光の透過率がともに高い、半透過半反射型の液晶表示装置を実現することができる。
【図面の簡単な説明】
【図１】本発明の電気光学装置の実施形態の構成を模式的に示す平面図である。
【図２】本発明の電気光学装置の実施形態の構成を模式的に示す縦断面図（図１中のＡ−Ａ線での断面図）である。
【図３】図１および図２に示す表示装置において、光源部から発せられた光が、ハウジングの開口から出射するまでの経路（１回反射で出射）を模式的に示す図である。
【図４】図１および図２に示す表示装置において、光源部から発せられた光が、ハウジングの開口から出射するまでの経路（３回反射で出射）を模式的に示す図である。
【図５】図１および図２に示す表示装置において、光源部から発せられた光が、ハウジングの開口から出射するまでの経路（４回反射で出射）を模式的に示す図である。
【図６】本発明における光源手段の調整用開口の構成例を模式的に示す平面図である。
【図７】本発明における光源手段の調整用開口の像および液晶パネル調整用開口の構成例を模式的に示す平面図である。
【図８】本発明における光源手段の調整用開口の像および液晶パネル調整用開口の構成例を模式的に示す平面図である。
【図９】本発明における位置調整（工程１）を説明するための模式図である。
【図１０】本発明における位置調整（工程２）を説明するための模式図である。
【図１１】本発明における位置調整（工程１）の際の制御動作を示すフローチャートである。
【図１２】本発明における位置調整（工程２）の際の制御動作を示すフローチャートである。
【符号の説明】
１              表示装置（電気光学装置）
２              光源手段
２１            光源部
２２            ハウジング
２２１          壁部
２３            突起
２４            反射膜
２５            開口
２６            調整用開口
２６１          第１の部分
２６２          第２の部分
２７            像
２７１          第１の部分
２７２          第２の部分
３              マイクロレンズアレイ板
３０            基板
３１            マイクロレンズアレイ
３２            マイクロレンズ
３３            調整用マイクロレンズ
４              液晶パネル
４０            透明電極
４１            基板
４２            透明電極
４３            液晶層
４４            反射膜
４５            開口
４６            基板
４７１、４７２  偏光板
４８            調整用開口
４８０          中心
４８１          第１の部分
４８２          第２の部分
４９            遮光膜
５              接着剤層
６１〜６４      光
７              位置調整手段
７１、７２      位置調整部
７３、７４      明点
８１            ＣＣＤ
９１            光源・ＭＬＡユニット
１０            有効光学変調領域
１０１〜１０４  角部
Ｓ１０１〜Ｓ１０７  ステップ
Ｓ２０１〜Ｓ２０７  ステップ
【図１】
0003963080.tif 000002
【図２】
0003963080.tif 000003
【図３】
0003963080.tif 000004
【図４】
0003963080.tif 000005
【図５】
0003963080.tif 000006
【図６】
0003963080.tif 000007
【図７】
0003963080.tif 000008
【図８】
0003963080.tif 000009
【図９】
0003963080.tif 000010
【図１０】
0003963080.tif 000011
【図１１】
0003963080.tif 000012
【図１２】
0003963080.tif 000013